(57)【要約】  【課題】  コスト低減が大きく期待できる光ピックアップ装置を提供する。  【解決手段】  光ディスクが収納されるメインシャーシと、このメインシャーシ内に収納された光ディスクの記録面に対して接近／離間移動するようにメインシャーシに一端１ｃ近傍の支軸を中心として回動可能に支持されるとともに、最接近状態で光ディスクの記録面に沿う径方向に往復移動する光ヘッドを搭載したドライブシャーシ１と、メインシャーシに支持されて回動の支軸と平行にスライド移動するカム溝２１を有するスライドカム２０とを備える。ドライブシャーシ１が金属板より成る板金成形品であり、その他端１ｄには、両側が起立するように折り曲げられた断面コ字状の突片部３がドライブシャーシ１と一体成形されている。突片部３がスライドカム２０のカム溝２１に係合し、スライドカム２０のスライド移動に従いカム溝２１に沿って案内されることにより、ドライブシャーシ１が回動する。【選択図】      図３
0003111798.tif 000002
【実用新案登録請求の範囲】
【請求項１】
光ディスクが収納される合成樹脂成型品のメインシャーシと、
このメインシャーシ内に収納された前記光ディスクの記録面に対して接近／離間移動す
るように前記メインシャーシに一端近傍の支軸を中心として回動可能に支持されるととも
に、最接近状態で前記光ディスクの記録面に沿う径方向に往復移動する光ヘッドを搭載し
たドライブシャーシと、
前記メインシャーシに支持されて前記支軸と平行にスライド移動するカム溝を有するス
ライドカムと、を備えた光ピックアップ装置であって、
前記ドライブシャーシが合成樹脂成型品であり、その他端には、円柱状の突軸部が前記
ドライブシャーシと一体成型されており、
前記突軸部が前記スライドカムのカム溝に係合し、前記スライドカムのスライド移動に
従い前記カム溝に沿って案内されることによって、前記ドライブシャーシが回動する光ピ
ックアップ装置において、
合成樹脂成型品の前記ドライブシャーシに代えて、前記ドライブシャーシが鋼板より成
る板金成形品であり、その他端には、両側が起立するように折り曲げられた断面コ字状の
突片部がドライブシャーシと一体成形されており、
前記突片部が前記スライドカムのカム溝に係合し、前記スライドカムのスライド移動に
従い前記カム溝に沿って案内されることによって、前記ドライブシャーシが回動すること
を特徴とする光ピックアップ装置。
【請求項２】
光ディスクが収納されるメインシャーシと、
このメインシャーシ内に収納された前記光ディスクの記録面に対して接近／離間移動す
るように前記メインシャーシに一端近傍の支軸を中心として回動可能に支持されるととも
に、最接近状態で前記光ディスクの記録面に沿う径方向に往復移動する光ヘッドを搭載し
たドライブシャーシと、
前記メインシャーシに支持されて前記支軸と平行にスライド移動するカム溝を有するス
ライドカムと、を備えた光ピックアップ装置において、
前記ドライブシャーシが金属板より成る板金成形品であり、その他端には、両側が起立
するように折り曲げられた断面コ字状の突片部がドライブシャーシと一体成形されており
、
前記突片部が前記スライドカムのカム溝に係合し、前記スライドカムのスライド移動に
従い前記カム溝に沿って案内されることによって、前記ドライブシャーシが回動すること
を特徴とする光ピックアップ装置。
【請求項３】
前記ドライブシャーシが鋼板より成ることを特徴とする請求項２に記載の光ピックアッ
プ装置。
【請求項４】
前記メインシャーシが合成樹脂成型品であることを特徴とする請求項２又は３に記載の
光ピックアップ装置。
【考案の詳細な説明】
【技術分野】
【０００１】
本考案は、情報記録媒体であるＣＤやＤＶＤ等の光ディスクに対して情報の再生や記録
を行うための光ピックアップ装置に関する。
【背景技術】
【０００２】
一般の光ピックアップ装置は、大きくは、メインシャーシと、ドライブシャーシとから
外形が構成される。メインシャーシは、例えばポリスチレン（ＰＳ）等の合成樹脂の成型
品であり、このメインシャーシには、ディスクトレイが正面から内外へ挿脱可能に支持さ
れている。そして、メインシャーシの外部へ引き出されたディスクトレイ上に光ディスク
が載置され、そのディスクトレイがメインシャーシの内部へ送り込まれることによって、
メインシャーシ内に光ディスクが収納される。
【０００３】
続いて、従来のドライブシャーシの構成について、図４を参照しながら説明する。図４
は従来のドライブシャーシを下面側から見た斜視図である。
【０００４】
図４に示すように、従来のドライブシャーシ１０１は、例えばポリフェニレンエーテル
（ＰＰＥ）等の合成樹脂の成型品であり、一端１０１ｃ近傍の左右両側面１０１ａ、１０
１ｂには、互いに同軸上に突出する支軸１０２Ａ、１０２Ｂが、ドライブシャーシ１０１
と一体成型により形成されている。これらの各支軸１０２Ａ、１０２Ｂがメインシャーシ
に回動可能に支持される。そして、ドライブシャーシ１０１は、メインシャーシに対して
各支軸１０２Ａ、１０２Ｂを中心として回動することにより、メインシャーシ内に挿入さ
れた光ディスクの記録面に対して接近／離間移動し、最接近状態で光ディスクが収納され
る。
【０００５】
ここでのドライブシャーシ１０１の回動は、ドライブシャーシ１０１の他端１０１ｄに
これと一体成型された円柱状の突軸部１０３によって行われる。具体的には、メインシャ
ーシにおけるドライブシャーシ１０１の他端１０１ｄの外側に、カム溝を有するスライド
カムが、ドライブシャーシ１０１の回動中心となる各支軸１０２Ａ、１０２Ｂと平行にス
ライド移動可能に支持されており、そのスライドカムのカム溝に突軸部１０３が係合して
いる。そして、スライドカムのスライド移動に従って突軸部１０３がカム溝に沿って案内
され、これによりドライブシャーシ１０１が回動する。なお、ピン１０３の傍には、間隔
をあけて補助突軸部１０４が形成されており、この補助突軸部１０４は、メインシャーシ
に形成された案内溝に係合し、ドライブシャーシ１０１の回動を円滑に行わせるためのも
のである。
【０００６】
また、ドライブシャーシ１０１には、光ディスクの記録面に記録されている情報を読み
取ったり、その記録面に情報を書き込んだりするための光ヘッド１０が搭載されている。
この光ヘッド１０は、大きくは、レーザー光を出射する半導体レーザー等の光源、光源か
らのレーザー光に基づく光ディスクからの反射光を最終的に受光して検出し電気信号に変
換するフォトダイオード等の光検出器、光源からのレーザー光を光ディスクの反射を経て
光検出器まで導く回折格子やハーフミラーや対物レンズ等の光学系、これらの各部品が取
り付けられたベース部材１１、より構成される。
【０００７】
そのベース部材１１は、ドライブシャーシ１０１に対し、光ディスクの記録面に沿う径
方向に延在するガイドレール１０５及びガイド軸１０６に支持されており、その径方向に
往復移動可能になっている。つまり、光ヘッド１０全体がドライブシャーシ１０１に支持
され、光ディスクの記録面に沿う径方向に往復移動するようになっている。この光ヘッド
１０の往復移動は、ドライブシャーシ１０１に搭載されている電動モータからの駆動力に
よって行われる。具体的には、光ヘッド１０すなわちベース部材１１の側部に取り付けら
れているスライドラック１２に、従動ギアが噛合しており、この従動ギアに電動モータの
出力が伝達されることで行われる。なお、その電動モータからの駆動力は、ドライブシャ
ーシ１０１の回動すなわちスライドカムのスライド移動や、ディスクトレイの挿脱移動に
も活用される。
【０００８】
また、ドライブシャーシ１０１には、収納した光ディスクを回転させるために、光ディ
スクの中心付近をチャッキングするチャッキングプレートや、このチャッキングプレート
に回転力を与えるスピンドルモータが搭載されている。
【０００９】
ところで、近年の光ピックアップ装置には、より一層のコスト低減が求められており、
このような要求に対する従来の改良技術として、合成樹脂成型品のドライブシャーシ１０
１に代えて、板金成形品のドライブシャーシを採用したものがある（例えば、特許文献１
参照）。一般に、プレス加工等によって得られる板金成形品の方が、射出成型等によって
得られる合成樹脂成型品よりも安価であるため、光ピックアップ装置のコスト低減が期待
できるからである。
【特許文献１】特開２００４−２５９３７７号公報
【考案の開示】
【考案が解決しようとする課題】
【００１０】
しかし、上記した従来の改良技術では、ドライブシャーシを単に板金成形品に代えたに
過ぎないものであるため、特に、ドライブシャーシの回動に用いられる、スライドカムの
カム溝に係合するドライブシャーシからの突軸部は、別部品として調達され、別途ドライ
ブシャーシに取り付ける必要があった。そのため、実質的には部品点数が増し、その上取
付け作業も付加されることから、ドライブシャーシを合成樹脂成型品から板金成形品に代
えるコスト低減の効果が薄れてしまっていた。
【００１１】
そこで本考案は、上記の問題に鑑みてなされたものであり、コスト低減が大きく期待で
きる光ピックアップ装置を提供することを目的とするものである。
【課題を解決するための手段】
【００１２】
上記目的を達成するため、本考案は、光ディスクが収納される合成樹脂成型品のメイン
シャーシと、このメインシャーシ内に収納された前記光ディスクの記録面に対して接近／
離間移動するように前記メインシャーシに一端近傍の支軸を中心として回動可能に支持さ
れるとともに、最接近状態で前記光ディスクの記録面に沿う径方向に往復移動する光ヘッ
ドを搭載したドライブシャーシと、前記メインシャーシに支持されて前記支軸と平行にス
ライド移動するカム溝を有するスライドカムと、を備えた光ピックアップ装置であって、
前記ドライブシャーシが合成樹脂成型品であり、その他端には、円柱状の突軸部が前記ド
ライブシャーシと一体成型されており、前記突軸部が前記スライドカムのカム溝に係合し
、前記スライドカムのスライド移動に従い前記カム溝に沿って案内されることによって、
前記ドライブシャーシが回動する光ピックアップ装置において、次の点を特徴とする。
【００１３】
合成樹脂成型品の前記ドライブシャーシに代えて、前記ドライブシャーシが鋼板より成
る板金成形品であり、その他端には、両側が起立するように折り曲げられた断面コ字状の
突片部がドライブシャーシと一体成形されている。そして、前記突片部が前記スライドカ
ムのカム溝に係合し、前記スライドカムのスライド移動に従い前記カム溝に沿って案内さ
れることによって、前記ドライブシャーシが回動するようになっている。
【００１４】
このような構成にすると、ドライブシャーシが安価な板金成形品であるし、しかも、ド
ライブシャーシの回動に用いられる、スライドカムのカム溝に係合するドライブシャーシ
からの突片部は、ドライブシャーシと一体に成形されているため、コスト低減が大きく期
待できる。
【００１５】
また上記目的を達成するために本考案は、光ディスクが収納されるメインシャーシと、
このメインシャーシ内に収納された前記光ディスクの記録面に対して接近／離間移動する
ように前記メインシャーシに一端近傍の支軸を中心として回動可能に支持されるとともに
、最接近状態で前記光ディスクの記録面に沿う径方向に往復移動する光ヘッドを搭載した
ドライブシャーシと、前記メインシャーシに支持されて前記支軸と平行にスライド移動す
るカム溝を有するスライドカムと、を備えた光ピックアップ装置において、次の点を特徴
とする。前記ドライブシャーシが金属板より成る板金成形品であり、その他端には、両側
が起立するように折り曲げられた断面コ字状の突片部がドライブシャーシと一体成形され
ている。そして、前記突片部が前記スライドカムのカム溝に係合し、前記スライドカムの
スライド移動に従い前記カム溝に沿って案内されることによって、前記ドライブシャーシ
が回動するようになっている。
【００１６】
このような構成にしても、ドライブシャーシが安価な板金成形品であるし、しかも、ド
ライブシャーシの回動に用いられる、スライドカムのカム溝に係合するドライブシャーシ
からの突片部は、ドライブシャーシと一体に成形されているため、コスト低減が大きく期
待できる。
【００１７】
ここで、実用性を踏まえると、前記ドライブシャーシが鋼板より成ることが好ましい。
また、前記メインシャーシが合成樹脂成型品であることが好ましい。
【考案の効果】
【００１８】
本考案の光ピックアップ装置によれば、合成樹脂成型品のドライブシャーシが採用され
た従来の光ピックアップ装置と比較しては勿論のこと、板金成形品のドライブシャーシが
採用された従来の改良技術での光ピックアップ装置と比較しても、部品点数の増加が抑え
られ、コスト低減が大きく期待できる。
【考案を実施するための最良の形態】
【００１９】
以下に、本考案の光ピックアップ装置の一実施形態について、図面を参照しながら詳述
する。図１は本考案の一実施形態である光ピックアップ装置におけるドライブシャーシを
上面側から見た斜視図、図２はその光ピックアップ装置におけるメインシャーシを透視し
た概略上面図、図３はその光ピックアップ装置におけるメインシャーシを透視した概略正
面図である。特に、図２（ａ）及び図３（ａ）は共にドライブシャーシが下降した状態、
すなわち回動して光ディスクから最離間した状態を示し、図２（ｂ）及び図３（ｂ）は共
にドライブシャーシが上昇した状態、すなわち回動して光ディスクに最接近した状態を示
している。なお、これら図中で、図４と同じ名称で同じ機能を果たす部分には同一の符号
を付し、重複する説明は適宜省略する。
【００２０】
本実施形態でのドライブシャーシ１は、厚さ１ｍｍ〜１．５ｍｍ程度の鋼板からプレス
加工等によって成形された板金成形品である。但し、その材料は鋼板に限らず、板金成形
が可能な合金鋼板等の金属板を適用しても構わない。ドライブシャーシ１の一端１ｃ近傍
の左右両側面１ａ、１ｂには、支軸収容部２Ａ、２Ｂが穴抜きされて形成されている。こ
れらの各支軸収容部２Ａ、２Ｂに、メインシャーシに対してのドライブシャーシ１の回動
中心となる支軸（不図示）が取り付けられている。ドライブシャーシ１は、メインシャー
シに対してその支軸を中心として回動することにより、メインシャーシ内に挿入された光
ディスクの記録面に対して接近／離間移動すなわち昇降する。そして、光ディスクから最
離間した状態すなわち回動して下降した状態で、ディスクトレイを介した光ディスクの挿
脱が行われ、他方、光ディスクに最接近した状態すなわち回動して上昇した状態で、光デ
ィスクが収納される。
【００２１】
また、ドライブシャーシ１の他端１ｄには、両側が起立するように折り曲げられた断面
コ字状の突片部３がドライブシャーシ１と一体成形されている。一方、メインシャーシに
おけるドライブシャーシ１の他端１ｄの外側には、カム溝２１を有するスライドカム２０
が、ドライブシャーシ１の回動中心となる支軸と平行にスライド移動可能に支持されてお
り、そのカム溝２１にドライブシャーシ１の突片部３が係合している。そして、その突片
部３は、スライドカム２０のスライド移動に従って行われるドライブシャーシ１の回動に
用いられるわけであるが、その回動動作の詳細は後述する。
【００２２】
また、ドライブシャーシ１には、光ディスクの記録面に記録されている情報を読み取っ
たり、その記録面に情報を書き込んだりするための光ヘッド（不図示）が搭載されている
。この光ヘッドは、大きくは、レーザー光を出射する半導体レーザー等の光源、光源から
のレーザー光に基づく光ディスクからの反射光を最終的に受光して検出し電気信号に変換
するフォトダイオード等の光検出器、光源からのレーザー光を光ディスクの反射を経て光
検出器まで導く回折格子やハーフミラーや対物レンズ等の光学系、これらの各部品が取り
付けられたベース部材、より構成される。
【００２３】
ここで、ドライブシャーシ１には、一対より成るガイド軸支持部４Ａ、４Ｂがドライブ
シャーシ１と一体成形されており、そのガイド軸支持部４Ａ、４Ｂに金属製のガイド軸（
不図示）が支持されている。このガイド軸には、光ヘッドの構成要素であるベース部材が
そのガイド軸に沿って移動可能に支持されており、これにより、光ヘッドが光ディスクの
記録面に沿う径方向に往復移動するようになっている。この光ヘッドの往復移動は、ドラ
イブシャーシ１に搭載されている電動モータ（不図示）からの駆動力によって行われる。
例えば、光ヘッドすなわちベース部材の側部に取り付けられているスライドラック（不図
示）に、従動ギア（不図示）が噛合しており、この従動ギアに電動モータの出力が伝達さ
れることで行われる。なお、その電動モータは、ドライブシャーシ１と一体成形された電
動モータ支持部５に取り付けられている。その電動モータからの駆動力は、ドライブシャ
ーシ１の回動すなわちスライドカム２０のスライド移動や、ディスクトレイの挿脱移動に
も活用される。
【００２４】
また、ドライブシャーシ１には、収納した光ディスクを回転させるために、光ディスク
の中心付近をチャッキングするチャッキングプレート（不図示）や、このチャッキングプ
レートに回転力を与えるスピンドルモータ（不図示）が搭載されている。なお、そのスピ
ンドルモータは、ドライブシャーシ１と一体成形されたスピンドルモータ支持部６に取り
付けられている。
【００２５】
続いて、図２及び図３を参照しながら、ドライブシャーシ１の回動動作について説明す
る。先ず、図２（ａ）及び図３（ａ）に示すように、ドライブシャーシ１が下降した状態
で、不図示の光ディスクが載置されたディスクトレイが、メインシャーシの正面から内部
へ挿入されていく。その際、ディスクトレイに形成されている挿脱方向に所定長さのラッ
ク（不図示）が、メインシャーシに支持されているドライブギア３０を構成する上段の大
歯車３１に噛合している。そのドライブギア３０を構成する下段の小歯車３２には、ドラ
イブシャーシ１に搭載されている電動モータからの出力が伝達される伝達ギア（不図示）
が、常時噛合している。こうして、その電動モータからの出力によってドライブギア３０
が回転駆動され、そのドライブギア３０の回転に従ってディスクトレイの挿入移動が行わ
れる。ちなみに、メインシャーシからのディスクトレイの引出し移動は、その電動モータ
からの逆回転の出力によってドライブギア３０が逆回転駆動されることで行われる。
【００２６】
ディスクトレイが挿入限となる規定位置まで挿入されると、ディスクトレイのラックが
ドライブギア３０の大歯車３１から外れ、これにより、ディスクトレイの挿入が完了して
メインシャーシへの光ディスクの収納が完了する。
【００２７】
一方、スライドカム２０には、スライド移動方向で互いに間隔をあけて突出する突起２
２Ａ、２２Ｂが形成されており、これらの各突起２２Ａ、２２Ｂは、ディスクトレイに形
成されている各案内溝（不図示）に係合している。そして、ディスクトレイが挿入限の規
定位置に達する直前に、各突起２２Ａ、２２Ｂが各案内溝からの案内によって押圧され、
その結果、スライドカム２０が若干量スライド移動（図２（ａ）及び図３（ａ）では右方
向にスライド）する。これにより、スライドカム２０の一端に形成されているスライド移
動方向に所定長さのラック２３が、ドライブギア３０の小歯車３２に噛合し、スライドカ
ム２０に電動モータからの出力が伝達され始める。
【００２８】
引き続き電動モータからの出力によってドライブギア３０が回転駆動され、そのドライ
ブギア３０の回転に従ってスライドカム２０がそのままスライド移動していく。すると、
そのスライドカム２０のスライド移動に従ってドライブシャーシ１の突片部３がカム溝２
１に沿って案内され、これによりドライブシャーシ１が回動して上昇していく。ちなみに
、ドライブシャーシ１の下降は、その電動モータからの逆回転の出力によってドライブギ
ア３０が逆回転駆動され、これに従ってスライドカム２０が逆方向（図２（ｂ）及び図３
（ｂ）では左方向）へスライド移動することで行われる。
【００２９】
スライドカム２０がスライド限となる規定位置まで移動すると、図２（ｂ）及び図３（
ｂ）に示すように、スライドカム２０のラック２３がドライブギア３０の小歯車３２から
外れ、スライドカム２０のスライド移動が完了するとともに、ドライブシャーシ１の上昇
が完了する。これと同時に、光ディスクがチャッキングされる。
【００３０】
その後、スピンドルモータからの出力によって光ディスクが回転する。また、電動モー
タからの出力によって光ヘッドが移動して内周端位置から離れ、その光ヘッドの往復移動
によって光ディスクの記録面に対する情報の読み書きが行われる。
【００３１】
このような光ピックアップ装置では、ドライブシャーシ１が安価な板金成形品であるし
、しかも、ドライブシャーシ１の回動に用いられる、スライドカム２０のカム溝２１に係
合するドライブシャーシ１からの突片部３は、ドライブシャーシ１と一体に成形されてい
るため、合成樹脂成型品のドライブシャーシ１０１が採用された従来の光ピックアップ装
置と比較しては勿論のこと、板金成形品のドライブシャーシが採用された従来の改良技術
での光ピックアップ装置と比較しても、部品点数の増加が抑えられ、コスト低減が大きく
期待できる。
【００３２】
なお、本考案は上記の実施形態に限定されず、本考案の趣旨を逸脱しない範囲で、種々
の変更が可能である。
【産業上の利用可能性】
【００３３】
本考案は、光ディスクに対して情報の再生や記録を行うための光ピックアップ装置に有
用である。
【図面の簡単な説明】
【００３４】
【図１】本考案の一実施形態である光ピックアップ装置におけるドライブシャーシを上面側から見た斜視図である。
【図２】図１のドライブシャーシが採用された光ピックアップ装置におけるメインシャーシを透視した概略上面図であって、（ａ）はドライブシャーシが下降した状態を示し、（ｂ）はドライブシャーシが上昇した状態を示す。
【図３】図１のドライブシャーシが採用された光ピックアップ装置におけるメインシャーシを透視した概略正面図であって、（ａ）はドライブシャーシが下降した状態を示し、（ｂ）はドライブシャーシが上昇した状態を示す。
【図４】従来の光ピックアップ装置におけるドライブシャーシを下面側から見た斜視図である。
【符号の説明】
【００３５】
１    ドライブシャーシ
３    突片部
２０    スライドカム
２１    カム溝
２３    ラック
３０    ドライブギア
【図１】
0003111798.tif 000003
【図２】
0003111798.tif 000004
【図３】
0003111798.tif 000005
【図４】
0003111798.tif 000006